(57)【要約】システムが提供され、該システムは、ユーザ機器（ＵＥ）が少なくとも１つのアクティブベアラを有する、複数のパケットデータネットワーク（ＰＤＮ）ゲートウェイのうちのそれぞれにメッセージを送信することによって、複数のＰＤＮゲートウェイからのＵＥの切り離しを促進するように構成される構成要素を含む。メッセージは、複数のＰＤＮゲートウェイのうちの少なくとも１つが少なくとも１つのアクティブベアラを削除することを要求する。【選択図】図１
2011523797.tif 000002
【特許請求の範囲】
【請求項１】
複数のパケットデータネットワーク（ＰＤＮ）ゲートウェイからユーザ機器（ＵＥ）を切り離す方法であって、
該ＵＥが少なくとも１つのアクティブベアラを有する、該複数のＰＤＮゲートウェイのそれぞれにメッセージを送信することであって、該メッセージは、該複数のＰＤＮゲートウェイのうちの少なくとも１つが該少なくとも１つのアクティブベアラを削除することを要求する、ことと、
該ＵＥを切り離す際に、さらなるステップを取ることと
を含む、方法。
【請求項２】
前記メッセージは、
モビリティ管理エンティティと、
サービングゲートウェイと、
該モビリティ管理エンティティと該サービングゲートウェイとを含む構成要素と
のうちの１つによって送信される、請求項１に記載の方法。
【請求項３】
前記切り離しは、
前記ＵＥと、
モビリティ管理エンティティと、
サービングゲートウェイと、
該モビリティ管理エンティティと該サービングゲートウェイとを含む構成要素と、
家庭用加入者サーバと
のうちの１つによって開始される、請求項１〜２のいずれかに記載の方法。
【請求項４】
前記切り離しが前記ＵＥによって開始されるとき、該ＵＥは、該切り離しの要求を、
前記モビリティ管理エンティティと、
前記サービングゲートウェイと、
該モビリティ管理エンティティと該サービングゲートウェイとを含む前記構成要素と
のうちの１つに送信することによって、該切り離しを開始する、請求項１〜３のいずれかに記載の方法。
【請求項５】
前記切り離しが、前記モビリティ管理エンティティ、前記サービングゲートウェイ、および該モビリティ管理エンティティと該サービングゲートウェイとを含む前記構成要素のうちの１つによって開始されるとき、該モビリティ管理エンティティ、該サービングゲートウェイ、および該モビリティ管理エンティティと該サービングゲートウェイとを含む該構成要素のうちの１つは、
前記ＵＥに該切り離しの要求を送信することと、
該ＵＥとの通信が失われたと推定されるとき、該ＵＥに該切り離しを通知することなく、
該切り離しを暗示的に開始することと
のうちの１つによって、該切り離しを開始する、請求項１〜４のいずれかに記載の方法。
【請求項６】
前記切り離しが、前記家庭用加入者サーバによって開始されるとき、該家庭用加入者サーバは、前記モビリティ管理エンティティ、前記サービングゲートウェイ、および該モビリティ管理エンティティと該サービングゲートウェイとを含む前記構成要素のうちの１つに、前記ＵＥに関連するベアラおよびモビリティ管理コンテキストの削除を要求するメッセージを送信することによって、該切り離しを開始する、請求項１〜５のいずれかに記載の方法。
【請求項７】
前記モビリティ管理エンティティ、前記サービングゲートウェイ、および該モビリティ管理エンティティと該サービングゲートウェイとを含む前記構成要素のうちの１つは、該サービングゲートウェイに単一のベアラ削除要求を送信し、該サービングゲートウェイは、該単一のベアラ削除要求の受信に応答して、複数のＰＤＮゲートウェイのそれぞれにベアラ削除要求を送信する、請求項１〜６のいずれかに記載の方法。
【請求項８】
前記モビリティ管理エンティティ、前記サービングゲートウェイ、および該モビリティ管理エンティティと該サービングゲートウェイとを含む前記構成要素のうちの１つは、削除される各ベアラに対して、該サービングゲートウェイに別個のベアラ削除要求を送信し、該サービングゲートウェイは、各ベアラ削除要求の受信に応答して、適切なＰＤＮゲートウェイにベアラ削除要求を送信する、請求項１〜７のいずれかに記載の方法。
【請求項９】
前記ＰＤＮゲートウェイの全てが、所定の時間内に前記メッセージに応答しないときには、前記複数のＰＤＮゲートウェイからの前記ＵＥの切り離しを再開する、請求項１〜８のいずれかに記載の方法。
【請求項１０】
前記ＵＥを切り離す際に、さらなるステップを取ることは、前記ＰＤＮゲートウェイの全てが前記メッセージに応答するときのみを含む、請求項１〜９のいずれかに記載の方法。
【請求項１１】
システムであって、
構成要素を備え、該構成要素は、ユーザ機器（ＵＥ）が少なくとも１つのアクティブベアラを有する複数のパケットデータネットワーク（ＰＤＮ）ゲートウェイのうちのそれぞれにメッセージを送信することによって、該複数のＰＤＮゲートウェイからの該ＵＥの切り離しを促進するように構成され、該メッセージは、該複数のＰＤＮゲートウェイのうちの少なくとも１つが該少なくとも１つのアクティブベアラを削除することを要求する、システム。
【請求項１２】
前記切り離しが前記ＵＥによって開始されるとき、該ＵＥは、該切り離しの要求を、
モビリティ管理エンティティと、
サービングゲートウェイと、
該モビリティ管理エンティティと該サービングゲートウェイとを含む構成要素と
のうちの１つに送信することによって、該切り離しを開始する、請求項１１に記載のシステム。
【請求項１３】
前記切り離しが、前記モビリティ管理エンティティ、前記サービングゲートウェイ、および該モビリティ管理エンティティと該サービングゲートウェイとを含む前記構成要素のうちの１つによって開始されるとき、該モビリティ管理エンティティ、該サービングゲートウェイ、および該モビリティ管理エンティティと該サービングゲートウェイとを含む該構成要素のうちの１つは、
前記ＵＥに該切り離しの要求を送信することと、
該ＵＥとの通信が失われたと推定されるときに、該ＵＥに該切り離しを通知することなく、該切り離しを暗示的に開始することと
のうちの１つによって、該切り離しを開始する、請求項１１または１２に記載のシステム。
【請求項１４】
前記切り離しが、前記家庭用加入者サーバによって開始されるとき、該家庭用加入者サーバは、モビリティ管理エンティティ、サービングゲートウェイ、および該モビリティ管理エンティティと該サービングゲートウェイとを含む構成要素のうちの１つに、前記ＵＥに関連するベアラおよびモビリティ管理コンテキストの削除を要求するメッセージを送信することによって、該切り離しを開始する、請求項１１から請求項１３のうちのいずれかに記載のシステム。
【請求項１５】
前記構成要素は、前記ＰＤＮゲートウェイの全てが前記メッセージに応答するまで、前記ＵＥの前記切り離しにおいてさらなる動作を取らない、請求項１１から請求項１４のうちのいずれかに記載のシステム。
【請求項１６】
タイマをさらに備え、該タイマは、前記メッセージのうちの最後のメッセージが前記ＰＤＮゲートウェイに送信されてから経過した時間を測定するように構成され、該ＰＤＮゲートウェイの全てが、該メッセージのうちの最後のメッセージが該ＰＤＮゲートウェイに送信された後の所定の期間内に該メッセージに応答しないとき、該複数のＰＤＮゲートウェイからの前記ＵＥの前記切り離しの別の試行を促進するようにさらに構成されている、請求項１１から請求項１５のうちのいずれかに記載のシステム。
【請求項１７】
前記構成要素は、前記サービングゲートウェイに単一のベアラ削除要求を送信するように構成され、該サービングゲートウェイは、該単一のベアラ削除要求の受信に応答して、複数のＰＤＮゲートウェイのそれぞれにベアラ削除要求を送信するように構成されている、請求項１１から請求項１６のうちのいずれかに記載のシステム。
【請求項１８】
前記構成要素は、削除される各ベアラに対して、前記サービングゲートウェイに別個のベアラ削除要求を送信するように構成され、該サービングゲートウェイは、各ベアラ削除要求の受信に応答して、適切なＰＤＮゲートウェイにベアラ削除要求を送信するように構成されている、請求項１１から請求項１７のうちのいずれかに記載のシステム。
【請求項１９】
前記構成要素は、
モビリティ管理エンティティと、
サービングゲートウェイと、
該モビリティ管理エンティティと該サービングゲートウェイとを含む構成要素と
のうちの１つである、請求項１１から請求項１８のうちのいずれかに記載のシステム。
【発明の詳細な説明】
【背景技術】
【０００１】
（背景）
携帯電話、携帯端末、ハンドヘルドコンピュータ、および類似のデバイス等の、無線電気通信能力を伴う容易に運搬可能なデバイスは、本明細書では、ユーザ機器（ＵＥ）と呼ばれる。「ＵＥ」という用語は、加入者識別モジュール（ＳＩＭ）アプリケーション、汎用加入者識別モジュール（ＵＳＩＭ）アプリケーション、可撤性ユーザ識別モジュール（Ｒ−ＵＩＭ）アプリケーションを含む、デバイスおよびその関連汎用集積回路カード（ＵＩＣＣ）を指してもよく、またはそのようなカードを伴わないデバイス本体を指してもよい。「ＵＥ」という用語はまた、デスクトップコンピュータまたはセットトップボックス等の、同様の能力を有するが運搬可能ではないデバイスを指してもよい。電気通信ネットワーク内のＵＥと何らかの他の要素との間の接続は、音声呼出、ファイル転送、または何らかの他の種類のデータ交換を促進する場合があり、そのいずれかを、呼出またはセッションと呼ぶことができる。
【０００２】
いくつかのＵＥは、回路交換モードで通信し、専用通信経路が２つのデバイス間に存在する。呼出またはセッションの持続時間にわたって、２つのデバイス間で交換される全てのデータは、単一の経路に沿って進む。いくつかのＵＥは、パケット交換モードで通信する能力を有し、呼出またはセッションの一部分を表すデータストリームは、一意の識別子が付与されるパケットに分割される。次いで、パケットは、異なる経路に沿って、ソースから送信先へと伝送され、異なる時間に送信先に着信する場合がある。送信先に到達すると、パケットは、識別子に基づいて、それらのオリジナルシーケンスに再構築される。
【０００３】
回路交換を介して行われる通信は、回路交換ドメインで発生すると言え、パケット交換を介して行われる通信は、パケット交換ドメインで発生すると言える。各ドメイン内では、いくつかの異なる種類のネットワーク、プロトコル、または技術を使用することができる。場合によっては、同じネットワーク、プロトコル、または技術を両方のドメインで使用することができる。無線通信ネットワークは、符号分割多重アクセス（ＣＤＭＡ）、時分割多重アクセス（ＴＤＭＡ）、周波数分割多重アクセス（ＦＤＭＡ）、直交周波数分割多重化（ＯＦＤＭ）、または何らかの他の多重アクセススキームに基づいてもよい。ＣＤＭＡベースのネットワークは、３ＧＰＰ２  ＩＳ−２０００（一般的にＣＤＭＡ  １ｘと呼ばれる）、３ＧＰＰ２  ＩＳ−８５６（一般的にＣＤＭＡ  １ｘＥＶ−ＤＯと呼ばれる）、または３ＧＰＰ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）等の、１つ以上の標準を実装してもよい。ＵＭＴＳ用のアクセスのモードは、Ｕｎｉｖｅｒｓａｌ  Ｔｅｒｒｅｓｔｒｉａｌ  Ｒａｄｉｏ  Ａｃｃｅｓｓ（ＵＴＲＡ）と呼ばれる。ＴＤＭＡベースのネットワークは、３ＧＰＰ  Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、または３ＧＰＰ  Ｇｅｎｅｒａｌ  Ｐａｃｋｅｔ  Ｒａｄｉｏ  Ｓｅｒｖｉｃｅ（ＧＰＲＳ）等の１つ以上の標準を実装し得る。
【０００４】
ＧＳＭは、回路交換モードのみを使用する無線ネットワーク標準の一例である。パケット交換のみを使用する無線ネットワーク標準の例は、ＧＰＲＳ、ＣＤＭＡ  １ｘ  ＥＶ−ＤＯ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、無線ローカルエリアネットワーク（Ｗｉｒｅｌｅｓｓ  Ｌｏｃａｌ  Ａｒｅａ  Ｎｅｔｗｏｒｋ／ＷＬＡＮ）を含み、これらは、８０２．１６、８０２．１６ｅ、８０２．１１ａ、８０２．１１ｂ、８０２．１１ｇ、８０２．１１ｎ、および同様の標準等の米国電気電子学会（ＩＥＥＥ）標準に準拠し得る。回路交換およびパケット交換モードの両方を使用してもよい、無線ネットワーク標準の例は、ＣＤＭＡ  １ｘおよびＵＭＴＳを含む。ＩＰ（インターネットプロトコル）マルチメディアサブシステム（ＩＭＳ）は、マルチメディアコンテンツがＵＥ間で伝送されることを可能にするパケット交換技術である。
【０００５】
従来の無線電気通信システムでは、基地局における伝送機器が、セルとして知られている地理的領域の全体を通して信号を伝送する。技術が発達するにつれて、以前は可能ではなかったサービスを提供することができる、より高度なネットワークアクセス機器が導入されてきた。この高度なネットワークアクセス機器は、例えば、基地局よりもむしろ強化ノードＢ（ＥＮＢ）、または従来の無線電気通信システムにおける同等の機器より高度に発達した他のシステムおよびデバイスを含む場合がある。技術が発達するにつれて、他のアクセスデバイスが、ネットワークへのアクセスを獲得するために使用される場合がある。これらのデバイス、ならびに従来の基地局および種々の種類の無線アクセス技術は、全て本明細書ではＥＮＢと呼ばれてもよい。そのような高度または次世代機器は、本明細書では、ロングタームエボリューション（ＬＴＥ）機器と呼ばれてもよく、そのような機器を使用するパケットベースのネットワークは、進化型パケットシステム（ＥＰＳ）と呼ぶことができる。種々の実施例がＬＴＥを含む、または参照してもよいが、本開示は、そのように限定されず、他のネットワークおよびシステムで均等に適用可能であってもよい。
【発明の概要】
【課題を解決するための手段】
【０００６】
ここで、本開示のより完全な理解のために、添付の図面および発明を実施するための形態と関連して、以下の簡単な説明を参照し、類似の参照数字は、類似の部品を表す。
【０００７】
最初に、本開示の１つ以上の実施形態の例証的実装を以下で提供するが、開示されたシステムおよび／または方法は、現在既知であるか、または既存であるかにかかわらず、任意の数の技法を使用して実装され得ることを理解されたい。本開示は、本明細書で例証および説明される例示的設計および実装を含む、以下で例証される例証的実装、図面、および技法に決して限定されるべきではないが、均等物の全範囲とともに、添付の特許請求の範囲内で修正され得る。
【図面の簡単な説明】
【０００８】
【図１】図１は、本開示の実施形態に従う、無線電気通信システムの説明図である。
【図２ａ】図２ａは、本開示の実施形態に従う、ＵＥによって開始された複数のＰＤＮゲートウェイからのＵＥの切り離しの呼出フロー図である。
【図２ｂ】図２ｂは、本開示の代替実施形態に従う、ＵＥによって開始された複数のＰＤＮゲートウェイからのＵＥの切り離しの呼出フロー図である。
【図３ａ】図３ａは、本開示の実施形態に従う、ＭＭＥによって開始された複数のＰＤＮゲートウェイからのＵＥの切り離しの呼出フロー図である。
【図３ｂ】図３ｂは、本開示の代替実施形態に従う、ＭＭＥによって開始された複数のＰＤＮゲートウェイからのＵＥの切り離しの呼出フロー図である。
【図４ａ】図４ａは、本開示の実施形態に従う、ＨＳＳ／ＡＡＡによって開始された複数のＰＤＮゲートウェイからのＵＥの切り離しの呼出フロー図である。
【図４ｂ】図４ｂは、代替本開示の実施形態に従う、ＨＳＳ／ＡＡＡによって開始された複数のＰＤＮゲートウェイからのＵＥの切り離しの呼出フロー図である。
【図５】図５は、本開示のいくつかの実施形態を実装するために好適なプロセッサおよび関連構成要素を図示する。
【発明を実施するための形態】
【０００９】
図１は、本開示の実施形態に従う例示的無線電気通信システム１００を図示する。図１の構成要素を接続する線のうちのいくつかは、ベアラ接続を表し、線のうちのいくつかは、信号伝達接続を表す場合があることに留意されたい。伝統的に、異なる種類の接続を表すために、異なるスタイルの線が使用される。しかしながら、図面を明確にするために、図１の異なる種類の接続は、同じスタイルの線で表されている。また、示されていない他の接続が、図１の構成要素間に存在する場合がある。
【００１０】
システム１００は、複数のＵＥ１１０を含み、そのそれぞれは、複数のパケットデータネットワーク（ＰＤＮ）１６０に接続することができる。ＰＤＮ１６０は、インターネットベースのネットワークとなる場合があり、または、パケットベースのデータを提供することができる他の種類のネットワークとなる場合がある。ＰＤＮ１６０はまた、アクセスポイント名（ＡＰＮ）と見なすこともできる。各ＰＤＮ１６０は、ワールドワイドウェブページ、マルティメディア放送／マルチキャストサービス、および他のデータパケットベースのサービス等の、パケットベースのサービスへのアクセスを可能にすることができる。ＰＤＮ１６０にアクセスするために、ＵＥ１１０は、最初に、ＥＮＢ１２０、基地局、無線アクセス技術、または同様の構成要素との１つ以上の無線ベアラ接続を確立する場合がある。前述のように、任意のそのような構成要素は、本明細書では、ＥＮＢ１２０と呼ばれる。１つだけのＥＮＢ１２０が示されているが、複数のＥＮＢ１２０が存在し得る。
【００１１】
ＵＥ１１０は、ＥＮＢ１２０を介して、モバイルアクセスゲートウェイ（ＭＡＧ）とも呼ぶことができるサービングゲートウェイ１４０に接続してもよい。サービングゲートウェイ１４０は、システム１００の無線アクセス部分のユーザプレーンインターフェースで終端する。ＵＥ１１０はまた、ＥＮＢ１２０を介して、サービングゲートウェイ１４０に接続するモビリティ管理エンティティ（ＭＭＥ）１３０に接続してもよい。ＭＭＥ１３０は、システム１００の無線アクセス部分の制御プレーンインターフェースで終端する。実践では、ＭＭＥ１３０およびサービングゲートウェイ１４０は、同じ物理的デバイスの中の構成要素であってもよいが、別個の論理デバイスと考えることができる。したがって、これらの構成要素のうちの１つに関して本明細書で説明される動作は、これらの構成要素の他方または両方に関して発生する場合がある。また、ＭＭＥ１３０と呼ばれるデバイスは、非３ＧＰＰ環境で、アクセスサーバまたは同様の構成要素となる場合がある。任意のそのような構成要素が、本明細書では、ＭＭＥ１３０と呼ばれる。
【００１２】
サービングゲートウェイ１４０は、複数のＰＤＮゲートウェイ１５０を介して、ＰＤＮ１６０にパケットを転送する。各ＰＤＮゲートウェイ１５０は、１つだけのＰＤＮ１６０にアクセスを提供して示されているが、各ＰＤＮゲートウェイ１５０は、複数のＰＤＮ１６０にアクセスを提供する場合がある。ＰＤＮゲートウェイ１５０は、他の種類のネットワークゲートウェイまたは同様の構成要素となる場合があるが、本明細書ではＰＤＮゲートウェイ１５０と呼ばれる。
【００１３】
複数のベアラが、サービングゲートウェイ１４０とＰＤＮゲートウェイ１５０のそれぞれとの間に確立されてもよい。ＰＤＮゲートウェイ１５０のうちの１つとサービングゲートウェイ１４０との間の初期接続は、そのＰＤＮゲートウェイ１５０用のデフォルトベアラ１７２として知られている。デフォルトベアラ１７２は、典型的には、「常時オン」の接続性をサポートすることができるように、非保証ビットレート（非ＧＢＲ）接続である。
【００１４】
デフォルトベアラ１７２がＰＤＮゲートウェイ１５０のうちの１つに接続された後、サービングゲートウェイ１４０からそのＰＤＮゲートウェイ１５０まで行われる任意の追加接続は、専用ベアラ１７８として知られている。ＵＥのサービスの質（ＱｏＳ）プロファイルに基づいて、専用ベアラ１７８は、保証ビットレート、最大ビットレート、パケット遅延予算、およびデータ転送品質の他のパラメータ等の、一式のＱｏＳ要件に一致する場合がある。図１では、１つだけの専用ベアラ１７８が、ＰＤＮゲートウェイ１５０のそれぞれをサービングゲートウェイ１４０に接続するが、他の場合においては、専用ベアラ１７８が全くないか、または各ＰＤＮゲートウェイ１５０への複数の専用ベアラ１７８があり得る。
【００１５】
家庭用加入者サーバ（ＨＳＳ）、または認証／認可アカウンティング（ＡＡＡ）サーバ、または同様の構成要素１８０は、ＭＭＥ１３０に接続することができ、ＵＥ１１０に利用可能なサービス、ＵＥ１１０に対する請求方針、および同様のＵＥプロファイルデータに関するデータを記憶することができる。動的方針および課金制御（ＰＣＣ）規則がシステム１００に配備された場合、方針制御および課金規則機能（ＰＣＲＦ）１９０、または同様の構成要素が存在する場合がある。ＰＣＲＦ１９０は、サービングゲートウェイ１４０およびＰＤＮゲートウェイ１５０に接続することができ、ＥＮＢ１２０とＰＤＮゲートウェイ１５０との間の接続に関する方針を記憶することができる。１つだけのＰＣＲＦ１９０が示されているが、複数のＰＣＲＦ１９０が存在することができ、ＰＤＮゲートウェイ１５０のそれぞれは、１つより多くのＰＣＲＦ１９０に接続することができる。
【００１６】
ＵＥ１１０のうちのいくつかは、サービングゲートウェイ１４０を介して、２つ以上のＰＤＮゲートウェイ１５０に同時に接続する場合がある。これは、ＵＥ１１０に、複数のＰＤＮ１６０への高速アクセスを提供することができる。例えば、ＵＥ１１０のうちの１つは、ワールドワイドウェブにアクセスするためにＰＤＮ１６０１に接続する場合があり、ビデオダウンロードにアクセスするためにＰＤＮ１６０２に接続する場合がある。並列ベアラがＰＤＮゲートウェイ１５０１およびＰＤＮゲートウェイ１５０２の両方に対して存在する場合、ユーザは、アクセスしているＰＤＮ１６０１とＰＤＮ１６０２とを迅速に切り替えることができる。並列ベアラが可能ではなく、ユーザがＰＤＮ１６０１からＰＤＮ１６０２に切り替えることを希望する場合、ＰＤＮ１６０２へのアクセスが試行された時に、既存のベアラを取り下げ、新規ベアラを確立する必要がある場合がある。
【００１７】
ＰＤＮゲートウェイ１５０のうちの１つに接続されるＵＥ１１０のうちの１つは、種々の状況下でＰＤＮゲートウェイ１５０から切り離すことができる。ＵＥによって開始された切り離しでは、ＵＥ１１０は、それが接続されているＰＤＮゲートウェイ１５０に、もはや接続の維持を希望しないと通知する。次いで、ＵＥ１１０は、ＵＥ１１０をＰＤＮゲートウェイ１５０から切り離しさせるように、おそらく１つ以上の中間構成要素を介して、ＰＤＮゲートウェイ１５０と適切なメッセージを交換する。
【００１８】
ネットワークによって開始された切り離しでは、ＵＥ１１０以外のシステム１００の中の構成要素が、ＰＤＮゲートウェイ１５０からのＵＥ１１０の切り離しを開始する。例えば、ＭＭＥ１３０は、ＭＭＥ１３０がＵＥ１１０から継続応答を受信しない結果として、ＵＥ１１０を切り離す場合がある。代替として、ＨＳＳ／ＡＡＡ１８０は、期限切れまたは無効になっているサービスに基づいて、ＵＥ１１０を切り離す場合がある。
【００１９】
ＵＥ１１０が明示的に切り離しを要求し、切り離しを引き起こすように信号を受信するという点で、ＵＥによって開始された切り離しは、明示的である。ネットワークによって開始された切り離しは、明示的または暗示的のいずれか一方となり得る。明示的なネットワークによって開始された切り離しでは、ＭＭＥ１３０またはＨＳＳ／ＡＡＡ１８０等の構成要素は、構成要素がＵＥ１１０の切り離しを開始していることをＵＥ１１０に通知し、切り離しに関するメッセージをＵＥ１１０と交換する。暗示的な切り離しでは、ＭＭＥ１３０またはＨＳＳ／ＡＡＡ１８０等の構成要素が、ＵＥ１１０に通知することなく切り離しを開始する。暗示的な切り離しは、典型的には、無線状態が不良である時等の、ＵＥ１１０との通信が可能ではないと推定される時に発生する。
【００２０】
本開示の実施形態は、複数のＰＤＮゲートウェイ１５０に同時に接続されるＵＥの切り離しを提供する。複数のＰＤＮゲートウェイからのＵＥによって開始された、ＭＭＥによって開始された、およびＨＳＳ／ＡＡＡによって開始された切り離しに、手順が提供される。
【００２１】
図２ａは、ＵＥによって開始された複数のＰＤＮゲートウェイ１５０からのＵＥ１１０のうちの１つの切り離しの呼出フロー図の実施形態を図示する。ＰＤＮゲートウェイ１５０は、１５０１、１５０２、１５０３、および１５０ｎと標識された線によって描写されている。イベント２０１において、ＵＥ１１０は、ＭＭＥ１３０に切り離し要求メッセージを送信する。メッセージは、切り離しがスイッチオフの状況によるものであるかどうかを示す、「スイッチオフ」パラメータを含む場合がある。イベント２０２において、ＭＭＥ１３０は、動作停止される、ＵＥ１１０をサービングゲートウェイ１４０に接続するアクティブベアラを記載する、ベアラ削除要求メッセージを、サービングゲートウェイ１４０に送信する。
【００２２】
それぞれ、イベント２０３ａ、２０３ｂ、２０３ｃ、および２０３ｄにおいて、サービングゲートウェイ１４０は、ＵＥ１１０がアクティブベアラを有する、ＰＤＮゲートウェイ１５０１、１５０２、１５０３、および１５０ｎのそれぞれに、ベアラ削除要求メッセージを送信する。それぞれ、イベント２０４ａ、２０４ｂ、２０４ｃ、および２０４ｄにおいて、ＰＤＮゲートウェイ１５０１、１５０２、１５０３、および１５０ｎのそれぞれは、ベアラ削除応答メッセージでベアラ削除要求メッセージを承認する。要求メッセージおよび応答メッセージは、交互に発生して示されており、サービングゲートウェイ１４０が別のＰＤＮゲートウェイ１５０に要求メッセージを送信する前に、ＰＤＮゲートウェイ１５０のうちの１つが応答メッセージを送信するが、メッセージングは、必ずしもこのように発生するとは限らない。サービングゲートウェイ１４０は、ＰＤＮゲートウェイ１５０のうちの１つから応答メッセージを受信する前に、ＰＤＮゲートウェイ１５０のうちのいくつかまたは全てに要求メッセージを送信する場合がある。
【００２３】
また、前述のように、ＭＭＥ１３０およびサービングゲートウェイ１４０は、たとえ図２では別個の構成要素として描写されていても、同じ物理的デバイスの構成要素であってもよい。したがって、イベント２０３および２０４で交換されるメッセージは、示されるように、ＰＤＮゲートウェイ１５０とサービングゲートウェイ１４０との間で、または、ＰＤＮゲートウェイ１５０とＭＭＥ１３０、またはＭＭＥ１３０およびサービングゲートウェイ１４０の両方を含む単一の構成要素との間で、交換されてもよい。
【００２４】
イベント２０５において、１つ以上のＰＣＲＦ１９０が配備された場合に、ＰＤＮゲートウェイ１５０は、ＰＣＲＦ１９０と相互作用して、ベアラが解放されていることをＰＣＲＦ１９０に示す場合がある。イベント２０６において、サービングゲートウェイ１４０は、ＭＭＥ１３０へのベアラ削除応答メッセージで、ＭＭＥのベアラ削除要求メッセージを承認する。サービングゲートウェイ１４０は、ＰＤＮゲートウェイ１５０の全てからベアラ削除応答メッセージを受信した後のみ、ベアラ削除応答メッセージでＭＭＥ１３０へ承認する。イベント２０７において、切り離しがスイッチオフの状況によるものではないことを「スイッチオフ」パラメータが示す場合、ＭＭＥ１３０は、ＵＥ１１０に切り離し容認メッセージを送信する。イベント２０８において、ＭＭＥ１３０は、解放の原因が切り離しだったことを示す、ＥＮＢ１２０に解放コマンドを送信することによって、ＵＥ１１０との信号伝達接続を解放する。
【００２５】
図２ａでは、イベント２０２において、ＭＭＥ１３０は、切り離しされる全てのＰＤＮゲートウェイ１５０の一覧を含有する単一のメッセージを、サービングゲートウェイ１４０に送信した。次いで、サービングゲートウェイ１４０は、ＰＤＮゲートウェイ１５０のそれぞれに個々のベアラ削除メッセージを送信し、ＰＤＮゲートウェイ１５０のそれぞれから個々のベアラ応答メッセージを受信した。次いで、サービングゲートウェイ１４０は、それがベアラ応答メッセージを受信した全てのＰＤＮゲートウェイ１５０を記載する単一のベアラ応答メッセージを、ＭＭＥ１３０に送信した。代替実施形態では、ＭＭＥ１３０は、各ＰＤＮゲートウェイ１５０が切り離しされるために、サービングゲートウェイ１４０に個々のベアラ削除メッセージを送信する場合があり、次いで、サービングゲートウェイ１４０は、図２ａのように、ＰＤＮゲートウェイ１５０のそれぞれに個々のベアラ削除メッセージを送信する場合がある。
【００２６】
この場合は、図２ｂに図示されており、図中、ＭＭＥ１３０は、イベント２１１においてＵＥ１１０から切り離し要求メッセージを受信すると、イベント２１２ａにおいてサービングゲートウェイ１４０にベアラ削除要求メッセージを送信する。次いで、イベント２１３ａにおいて、サービングゲートウェイ１４０は、ＰＤＮゲートウェイ１５０１にベアラ削除要求メッセージを送信する。イベント２１４ａにおいて、ＰＤＮゲートウェイ１５０１は、ベアラ削除応答メッセージでベアラ削除要求メッセージを承認する。イベント２１５ａにおいて、サービングゲートウェイ１４０は、ＭＭＥ１３０にベアラ削除応答メッセージを送信する。同様の一式のイベントが、他のＰＤＮゲートウェイ１５０２、１５０３、および１５０４のそれぞれについて発生することができるが、イベントは必ずしも図示された順番で発生するとは限らないことに留意されたい。例えば、イベント２１３ａで示されるように、サービングゲートウェイ１４０が、ＰＤＮゲートウェイ１５０１に第１のベアラ削除要求メッセージを送信する前に、または、イベント２１４ａで示されるように、ＰＤＮゲートウェイ１５０１が、サービングゲートウェイ１４０に第１のベアラ削除応答メッセージを送信する前に、イベント２１２ｂで示されるように、ＭＭＥ１３０が第２のベアラ削除要求メッセージを送信する場合がある。これらのイベントの他の順序が、当業者にとって明白であってもよい。完全切り離し順序は、イベント２１５におけるベアラ削除応答メッセージの全てがＭＭＥ１３０によって受信された時のみに、完全と見なされる場合がある。
【００２７】
イベント２１６において、１つ以上のＰＣＲＦ１９０が配備される場合、ＰＤＮゲートウェイ１５０は、ＰＣＲＦ１９０と相互作用して、ベアラが解放されていることをＰＣＲＦ１９０に示す場合がある。これらの相互作用は、示されるように、イベント２１５におけるベアラ削除応答メッセージの全てが送信された後に発生する場合があり、または、イベント２１５における種々のベアラ削除応答メッセージの間で断続的に発生する場合がある。次いで、イベント２１７および２１８が、図２ａのイベント２０７および２０８と同様に発生することができる。
【００２８】
図３ａは、ＭＭＥによって開始された複数のＰＤＮゲートウェイ１５０からのＵＥ１１０のうちの１つの切り離しの呼出フロー図の実施形態を図示する。イベント３０１において、ＭＭＥによって開始された切り離しが暗示的であるか明示的であるかに応じて、ＭＭＥ１３０が、ＵＥ１１０に切り離し要求メッセージを送信する場合がある。ＭＭＥ１３０が長期間にわたってＵＥ１１０と通信していなければ、ＭＭＥ１３０は、ＵＥ１１０を暗示的に切り離ししてもよい。この場合、ＭＭＥ１３０は、ＵＥ１１０に切り離し要求メッセージを送信しない。ＭＭＥ１３０がＵＥ１１０を明示的に切り離す場合、ＭＭＥ１３０は、ＵＥ１１０に切り離し要求メッセージを送信する。切り離し要求メッセージは、「再付着」に設定される場合がある、切り離しの種類を含有することができ、その場合、ＵＥ１１０は、切り離し過程の終了時に再付着する。イベント３０２において、ＭＭＥ１３０は、動作停止される、ＵＥ１１０をサービングゲートウェイ１４０に接続するアクティブベアラを記載する、ベアラ削除要求メッセージを、サービングゲートウェイ１４０に送信する。
【００２９】
それぞれ、イベント３０３ａ、３０３ｂ、３０３ｃ、および３０３ｄにおいて、サービングゲートウェイ１４０は、ＵＥ１１０がアクティブベアラを有する、ＰＤＮゲートウェイ１５０１、１５０２、１５０３、および１５０ｎのそれぞれに、ベアラ削除要求メッセージを送信する。それぞれ、イベント３０４ａ、３０４ｂ、３０４ｃ、および３０４ｄにおいて、ＰＤＮゲートウェイ１５０１、１５０２、１５０３、および１５０ｎのそれぞれは、ベアラ削除応答メッセージでベアラ削除要求メッセージを承認する。応答メッセージは、示された交互順序とは対照的に、要求メッセージが送信されたのとは異なる順序で返信されてもよい。また、イベント３０３および３０４において交換されるメッセージは、ＰＤＮゲートウェイ１５０と、サービングゲートウェイ１４０、ＭＭＥ１３０、またはＭＭＥ１３０およびサービングゲートウェイ１４０の両方を含む単一の構成要素との間で交換されてもよい。
【００３０】
イベント３０５において、１つ以上のＰＣＲＦ１９０が配備される場合、ＰＤＮゲートウェイ１５０は、ＰＣＲＦ１９０と相互作用して、ベアラが解放されていることをＰＣＲＦ１９０に示す場合がある。イベント３０６において、サービングゲートウェイ１４０は、ＭＭＥ１３０へのベアラ削除応答メッセージで、ＭＭＥのベアラ削除要求メッセージを承認する。サービングゲートウェイ１４０は、ＰＤＮゲートウェイ１５０の全てからベアラ削除応答メッセージを受信した後のみ、ベアラ削除応答メッセージでＭＭＥ１３０へ承認する。イベント３０７において、ＵＥ１１０がイベント３０１においてＭＭＥ１３０から切り離し要求メッセージを受信した場合、ＵＥ１１０は、ＭＭＥ１３０に切り離し容認メッセージを送信する。このイベントは、イベント３０１後のいつでも発生することができる。イベント３０８において、ＭＭＥ１３０が切り離し容認メッセージを受信した後、切り離しの種類がＵＥ１１０の再付着を要求しなかった場合、ＭＭＥ１３０は、解放の原因が切り離しだったことを示す、ＥＮＢ１２０に解放コマンドを送信することによって、ＵＥ１１０との信号伝達接続を解放する。
【００３１】
図３ａでは、図２ａのように、ＭＭＥ１３０は、切り離しされる全てのＰＤＮゲートウェイ１５０の一覧を含有する単一のメッセージを、サービングゲートウェイ１４０に送信した。次いで、サービングゲートウェイ１４０は、ＰＤＮゲートウェイ１５０のそれぞれに個々のベアラ削除メッセージを送信し、ＰＤＮゲートウェイ１５０のそれぞれから個々のベアラ応答メッセージを受信した。次いで、サービングゲートウェイ１４０は、それがベアラ応答メッセージを受信した全てのＰＤＮゲートウェイ１５０を記載する単一のベアラ応答メッセージを、ＭＭＥ１３０に送信した。代替実施形態では、ＭＭＥ１３０は、各ＰＤＮゲートウェイ１５０が切り離しされるために、サービングゲートウェイ１４０に個々のベアラ削除メッセージを送信する場合があり、次いで、サービングゲートウェイ１４０は、図３ａのように、ＰＤＮゲートウェイ１５０のそれぞれに個々のベアラ削除メッセージを送信する場合がある。
【００３２】
この場合は、図３ｂに図示されており、図中、ＭＭＥ１３０は、イベント３１１においてＵＥ１１０に切り離し要求メッセージを送信した後、イベント３１２ａにおいてサービングゲートウェイ１４０にベアラ削除要求メッセージを送信する。次いで、イベント３１３ａにおいて、サービングゲートウェイ１４０は、ＰＤＮゲートウェイ１５０１にベアラ削除要求メッセージを送信する。イベント３１４ａにおいて、ＰＤＮゲートウェイ１５０１は、ベアラ削除応答メッセージでベアラ削除要求メッセージを承認する。イベント３１５ａにおいて、サービングゲートウェイ１４０は、ＭＭＥ１３０にベアラ削除応答メッセージを送信する。同様の一式のイベントが、他のＰＤＮゲートウェイ１５０２、１５０３、および１５０４のそれぞれについて発生することができるが、イベントは必ずしも図示された順番で発生するとは限らないことに留意されたい。例えば、イベント３１３ａで示されるように、サービングゲートウェイ１４０が、ＰＤＮゲートウェイ１５０１に第１のベアラ削除要求メッセージを送信する前に、または、イベント３１４ａで示されるように、ＰＤＮゲートウェイ１５０１が、サービングゲートウェイ１４０に第１のベアラ削除応答メッセージを送信する前に、イベント３１２ｂで示されるように、ＭＭＥ１３０が第２のベアラ削除要求メッセージを送信する場合がある。これらのイベントの他の順序が、当業者にとって明白であってもよい。完全切り離し順序は、イベント３１５におけるベアラ削除応答メッセージの全てがＭＭＥ１３０によって受信された時のみに、完全と見なされる場合がある。
【００３３】
イベント３１６において、１つ以上のＰＣＲＦ１９０が配備される場合、ＰＤＮゲートウェイ１５０は、ＰＣＲＦ１９０と相互作用して、ベアラが解放されていることをＰＣＲＦ１９０に示す場合がある。これらの相互作用は、示されるように、イベント３１５におけるベアラ削除応答メッセージの全てが送信された後に発生する場合があり、または、イベント３１５における種々のベアラ削除応答メッセージの間で断続的に発生する場合がある。次いで、イベント３１７および３１８が、図３ａのイベント３０７および３０８と同様に発生することができる。
【００３４】
図４ａは、ＨＳＳ／ＡＡＡによって開始された複数のＰＤＮゲートウェイ１５０からのＵＥ１１０の切り離しの呼出フロー図の実施形態を図示する。イベント４５１において、ＨＳＳ／ＡＡＡ１８０が、加入者のベアラおよびモビリティ管理コンテキストの即時削除を要求したい場合、ＨＳＳ／ＡＡＡ１８０は、「配信撤回」に設定された解約種類パラメータとともに、キャンセルロケーションメッセージをＭＭＥ１３０に送信する。イベント４５２において、解約種類が「配信撤回」である場合、ＭＭＥ１３０は、ＵＥ１１０に切り離し要求メッセージを送信することによって、ＵＥ１１０が切り離しされていることをＵＥ１１０に通知する。イベント４５３において、ＭＭＥ１３０は、動作停止される、ＵＥ１１０をサービングゲートウェイ１４０に接続するアクティブベアラを記載する、ベアラ削除要求メッセージを、サービングゲートウェイ１４０に送信する。
【００３５】
それぞれ、イベント４５４ａ、４５４ｂ、４５４ｃ、および４５４ｄにおいて、サービングゲートウェイ１４０は、ＵＥ１１０がアクティブベアラを有する、ＰＤＮゲートウェイ１５０１、１５０２、１５０３、および１５０ｎのそれぞれに、ベアラ削除要求メッセージを送信する。それぞれ、イベント４５５ａ、４５５ｂ、４５５ｃ、および４５５ｄにおいて、ＰＤＮゲートウェイ１５０１、１５０２、１５０３、および１５０ｎのそれぞれは、ベアラ削除応答メッセージでベアラ削除要求メッセージを承認する。再度、要求メッセージおよび応答メッセージは、必ずしも交互に起こるとは限らず、これらのメッセージは、ＰＤＮゲートウェイ１５０と、サービングゲートウェイ１４０、ＭＭＥ１３０、またはＭＭＥ１３０およびサービングゲートウェイ１４０の両方を含む単一の構成要素との間で交換されてもよい。
【００３６】
イベント４５６において、１つ以上のＰＣＲＦ１９０が配備される場合、ＰＤＮゲートウェイ１５０は、ＰＣＲＦ１９０と相互作用して、ベアラが解放されていることをＰＣＲＦ１９０に示す場合がある。イベント４５７において、サービングゲートウェイ１４０は、ＭＭＥ１３０へのベアラ削除応答メッセージで、ＭＭＥのベアラ削除要求メッセージを承認する。サービングゲートウェイ１４０は、ＰＤＮゲートウェイ１５０の全てからベアラ削除応答メッセージを受信した後のみ、ベアラ削除応答メッセージでＭＭＥ１３０へ承認する。
【００３７】
イベント４５８において、ＵＥ１１０がイベント４５２においてＭＭＥ１３０から切り離し要求メッセージを受信した場合、ＵＥ１１０は、ＭＭＥ１３０に切り離し容認メッセージを送信する。このイベントは、イベント４５２後のいつでも発生することができる。イベント４５９において、ＭＭＥ１３０は、ＨＳＳ／ＡＡＡ１８０にキャンセルロケーション承認メッセージを送信することによって、ベアラおよびモビリティ管理コンテキストの削除を確認する。イベント４６０において、ＭＭＥ１３０が切り離し容認メッセージを受信した後、ＭＭＥ１３０は、解放の原因が切り離しだったことを示す、ＥＮＢ１２０に解放コマンドを送信することによって、ＵＥ１１０との信号伝達接続を解放する。ＵＥ１１０を伴う、イベント４５２、４５８、および４６０は、解約種類が「配信撤回」に設定された時のみに発生する場合がある。
【００３８】
図４ａでは、図２ａおよび３ａのように、ＭＭＥ１３０は、切り離しされる全てのＰＤＮゲートウェイ１５０の一覧を含有する単一のメッセージを、サービングゲートウェイ１４０に送信した。次いで、サービングゲートウェイ１４０は、ＰＤＮゲートウェイ１５０のそれぞれに個々のベアラ削除メッセージを送信し、ＰＤＮゲートウェイ１５０のそれぞれから個々のベアラ応答メッセージを受信した。
次いで、サービングゲートウェイ１４０は、それがベアラ応答メッセージを受信した全てのＰＤＮゲートウェイ１５０を記載する単一のベアラ応答メッセージを、ＭＭＥ１３０に送信した。代替実施形態では、ＭＭＥ１３０は、各ＰＤＮゲートウェイ１５０が切り離しされるために、サービングゲートウェイ１４０に個々のベアラ削除メッセージを送信する場合があり、次いで、サービングゲートウェイ１４０は、図２ａおよび３ａのように、ＰＤＮゲートウェイ１５０のそれぞれに個々のベアラ削除メッセージを送信する場合がある。
【００３９】
この場合は、図４ｂに図示されており、図中、ＭＭＥ１３０は、キャンセルロケーションおよび切り離し要求メッセージがイベント４７１および４７２イベント３１１において送信された後、イベント４７３ａにおいてサービングゲートウェイ１４０にベアラ削除要求メッセージを送信する。次いで、イベント４７４ａにおいて、サービングゲートウェイ１４０は、ＰＤＮゲートウェイ１５０１にベアラ削除要求メッセージを送信する。イベント４７５ａにおいて、ＰＤＮゲートウェイ１５０１は、ベアラ削除応答メッセージでベアラ削除要求メッセージを承認する。イベント４７６ａにおいて、サービングゲートウェイ１４０は、ＭＭＥ１３０にベアラ応答除応答メッセージを送信する。同様の一式のイベントが、他のＰＤＮゲートウェイ１５０２、１５０３、および１５０４のそれぞれについて発生することができるが、イベントは必ずしも図示された順番で発生するとは限らないことに留意されたい。例えば、イベント４７４ａで示されるように、サービングゲートウェイ１４０が、ＰＤＮゲートウェイ１５０１に第１のベアラ削除要求メッセージを送信する前に、または、イベント４７５ａで示されるように、ＰＤＮゲートウェイ１５０１が、サービングゲートウェイ１４０に第１のベアラ削除応答メッセージを送信する前に、イベント４７３ｂで示されるように、ＭＭＥ１３０が第２のベアラ削除要求メッセージを送信する場合がある。これらのイベントの他の順序が、当業者にとって明白であってもよい。完全切り離し順序は、イベント４７６におけるベアラ削除応答メッセージの全てがＭＭＥ１３０によって受信された時のみに、完全と見なされる場合がある。
【００４０】
イベント４７７において、１つ以上のＰＣＲＦ１９０が配備される場合、ＰＤＮゲートウェイ１５０は、ＰＣＲＦ１９０と相互作用して、ベアラが解放されていることをＰＣＲＦ１９０に示す場合がある。これらの相互作用は、示されるように、イベント４７６におけるベアラ削除応答メッセージの全てが送信された後に発生する場合があり、または、イベント４７６における種々のベアラ削除応答メッセージの間で断続的に発生する場合がある。次いで、イベント４７８、４７９、および４８０が、図４ａのイベント４５８、４５９、および４６０と同様に発生することができる。
【００４１】
上記で論議される３種類の切り離しのうちのいずれかにおいて、サービングゲートウェイ１４０は、サービングゲートウェイ１４０がベアラ削除要求メッセージを送信した、全てのＰＤＮゲートウェイ１５０から、ベアラ削除応答メッセージを受信しない場合がある。例えば、サービングゲートウェイ１４０は、４つのＰＤＮゲートウェイ１５０にベアラ削除要求メッセージを送信する場合があるが、３つだけのＰＤＮゲートウェイ１５０からベアラ削除応答メッセージを受信する場合がある。サービングゲートウェイ１４０が、それが送信する各ベアラ削除要求メッセージに対して、対応するベアラ削除応答メッセージを受信しない時は、多重ＰＤＮゲートウェイ切り離し手順の失敗が示されてもよい。
【００４２】
実施形態では、システム１００の中の構成要素のうちの１つは、最後のベアラ削除要求メッセージがサービングゲートウェイ１４０からＰＤＮゲートウェイ１５０に送信されてから経過した時間を追跡することができる、タイマ１９５を含むことができる。サービングゲートウェイ１４０がベアラ削除要求メッセージを送信した、ＰＤＮゲートウェイ１５０の全てから、サービングゲートウェイ１４０がベアラ削除応答メッセージを受信する前に、所定の期間が経過した場合、多重ＰＤＮゲートウェイ切り離しは、失敗したと見なすことができる。切り離し失敗が発生すると、ＭＭＥ１３０がサービングゲートウェイ１４０にベアラ削除要求メッセージを送信する時点の前、またはその時点を含む、任意の時点で、多重ＰＤＮゲートウェイ切り離し手順を再開することができる。
【００４３】
上記で説明されるＵＥ１１０および他の構成要素は、上記で説明される動作に関する命令を実行することが可能である、処理構成要素を含む場合がある。図５は、本明細書で開示される１つ以上の実施形態を実装するために好適な処理構成要素１３１０を含む、システム１３００の実施例を図示する。プロセッサ１３１０（中央プロセッサユニットまたはＣＰＵと呼ばれてもよい）に加えて、システム１３００は、ネットワーク接続デバイス１３２０、ランダムアクセスメモリ（ＲＡＭ）１３３０、読み出し専用メモリ（ＲＯＭ）１３４０、２次記憶装置１３５０、入出力（Ｉ／Ｏ）デバイス１３６０を含む場合がある。これらの構成要素は、バス１３７０を介して相互に通信する場合がある。場合によっては、これらの構成要素のうちのいくつかは、存在しなくてもよく、または、種々の組み合わせで、相互に、または示されていない他の構成要素と組み合わせられてもよい。これらの構成要素は、単一の物理的実体に、または１つより多くの物理的実体に位置する場合がある。プロセッサ１３１０によって取られるものとして本明細書で説明される、任意の動作は、プロセッサ１３１０によって単独で、または、デジタル信号プロセッサ（ＤＳＰ）１３８０等の、図面に示されている、または示されていない１つ以上の構成要素と併せて、プロセッサ１３１０によって取られる場合がある。ＤＳＰ１３８０が別個の構成要素として示されているが、ＤＳＰ１３８０は、プロセッサ１３１０に組み込まれる場合がある。
【００４４】
プロセッサ１３１０は、またはネットワーク接続デバイス１３２０、ＲＡＭ１３３０、ＲＯＭ１３４０、または２次記憶装置１３５０（ハードディスク、フロッピー（登録商標）ディスク、または光ディスク等の、種々のディスクベースのシステムを含む場合がある）からアクセスする場合がある、命令、コード、コンピュータプログラム、またはスクリプトを実行する。１つだけのＣＰＵ１３１０が示されているが、複数のプロセッサが存在してもよい。したがって、命令は、プロセッサによって実行されるものとして論議されてもよいが、命令は、同時に、連続的に、または別様に、１つまたは複数のプロセッサによって実行されてもよい。プロセッサ１３１０は、１つ以上のＣＰＵチップとして実装されてもよい。
【００４５】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、デジタル加入者回線（ｘＤＳＬ）デバイス、データオーバーケーブルサービスインターフェース仕様（ＤＯＣＳＩＳ）モデム、および／またはネットワークに接続するための周知のデバイスの形態を成してもよい。これらのネットワーク接続デバイス１３２０は、プロセッサ１３１０が情報を受信する場合がある、またはプロセッサ１３１０が情報を出力する場合がある、インターネットまたは１つ以上の電気通信ネットワーク、あるいは他のネットワークと、プロセッサ１３１０が通信することを可能にしてもよい。
【００４６】
ネットワーク接続デバイス１３２０はまた、無線周波数信号またはマイクロ波周波数信号等の電磁波の形態で、データを無線で伝送および／または受信することが可能な１つ以上の送受信機の構成要素１３２５も含む場合がある。代替として、データは、導電体の中または上、同軸ケーブルの中、導波管の中、光ファイバ等の光媒体の中、または他の媒体の中で伝播してもよい。送受信機の構成要素１３２５は、別個の送信および伝送ユニット、または単一の送受信機を含む場合がある。送受信機の構成要素１３２５によって伝送または受信される情報は、プロセッサ１３１０によって処理されたデータ、またはプロセッサ１３１０によって実行される命令を含んでもよい。そのような情報は、例えば、コンピュータデータベースバンド信号または搬送波で具体化された信号の形態で、ネットワークから受信され、かつネットワークに出力されてもよい。データは、データを処理または生成するか、あるいはデータを伝送または受信するために望ましくてもよいような異なる順序に従って、順序付けられてもよい。ベースバンド信号、搬送波に組み込まれた信号、または、現在使用されている、あるいは今後開発される他の種類の信号が、本明細書では、伝送媒体と呼ばれてもよく、当業者に周知のいくつかの方法に従って生成されてもよい。
【００４７】
ＲＡＭ１３３０は、揮発性データを記憶するため、および、おそらくプロセッサ１３１０によって実行される命令を記憶するために使用される場合がある。ＲＯＭ１３４０は、典型的には２次記憶装置１３５０のメモリ容量よりも小さいメモリ容量を有する、不揮発性メモリデバイスである。ＲＯＭ１３４０は、命令、および、おそらく命令の実行中に読み出されるデータを記憶するために使用される場合がある。ＲＡＭ１３３０およびＲＯＭ１３４０の両方へのアクセスは、典型的には、２次記憶装置１３５０に対するよりも速い。２次記憶装置１３５０は、典型的には、１つ以上のディスクドライブまたはテープドライブから成り、ＲＡＭ１３３０が全作業データを保持するほど十分に大きくない場合に、データの不揮発性記憶のために、またはオーバーフローデータ記憶デバイスとして使用される。２次記憶装置１３５０は、ＲＡＭ１３３０にロードされるプログラムが実行のために選択されると、そのようなプログラムを記憶するために使用されてもよい。
【００４８】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素と見なされる場合がある。
【００４９】
以下は、参照することにより本明細書に組み込まれる：進化型パケットコア（ＥＰＣ）へのＬＴＥ  ＵＥ  ３ＧＰＰ無線ネットワークアクセスのための3ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）２３．４０１、およびＬＴＥ  ＵＥ非３ＧＰＰネットワークアクセスのための（ＴＳ）２３．４０２。ＬＴＥ  ＵＥ非３ＧＰＰアクセスについては、実施形態におけるＬＴＥ  ＵＥ多重ＰＤＮ切り離し手順が、異なる無線ネットワークアクセスプロトコルおよび異なるネットワーク要素エンティティを伴ってもよい。
【００５０】
一実施形態によれば、ＵＥが少なくとも１つのアクティブベアラを有する、複数のＰＤＮゲートウェイのそれぞれにメッセージを送信することによって、複数のパケットデータネットワーク（ＰＤＮ）ゲートウェイからのユーザ機器（ＵＥ）の切り離しを促進するように構成される、構成要素を含むシステムが提供される。メッセージは、複数のＰＤＮゲートウェイのうちの少なくとも１つが、少なくとも１つのアクティブベアラを削除することを要求する。
【００５１】
別の実施形態では、複数のパケットデータネットワーク（ＰＤＮ）ゲートウェイからユーザ機器（ＵＥ）を切り離すための方法が提供される。方法は、ＵＥが少なくとも１つのアクティブベアラを有する、複数のＰＤＮゲートウェイのそれぞれにメッセージを送信するステップを含み、メッセージは、複数のＰＤＮゲートウェイのうちの少なくとも１つが、少なくとも１つのアクティブベアラを削除することを要求する。方法はまた、ＵＥを切り離す際に、さらなるステップを取るステップも含む。いくつかの実施形態では、方法は、ＰＤＮゲートウェイの全てがメッセージに応答する時のみに、ＵＥを切り離す際に、さらなるステップを取るステップを含んでもよい。
【００５２】
いくつかの実施形態を本開示で提供したが、開示されたシステムおよび方法は、本開示の精神または範囲から逸脱することなく、多くの他の具体的形態で具現化されてもよいことを理解されたい。本実施例は、制限的ではなく例証的と見なされるものであり、本明細書で与えられる詳細に制限されることを意図するものではない。例えば、種々の要素または構成要素が組み合わされるか、または別のシステムに統合されてもよく、または、ある特徴が省略されるか、あるいは実装されなくてもよい。
【００５３】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信してもよい。変更、置換、および改変の他の実施例が、当業者によって究明可能であって、本明細書で開示される精神および範囲から逸脱することなく行うことができる。
【図１】
2011523797.tif 000003
【図２ａ】
2011523797.tif 000004
【図２ｂ】
2011523797.tif 000005
【図３ａ】
2011523797.tif 000006
【図３ｂ】
2011523797.tif 000007
【図４ａ】
2011523797.tif 000008
【図４ｂ】
2011523797.tif 000009
【図５】
2011523797.tif 000010
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
複数のパケットデータネットワーク（ＰＤＮ）ゲートウェイからユーザ機器（ＵＥ）を切り離す方法であって、
該ＵＥが少なくとも１つのアクティブベアラを有する、該複数のＰＤＮゲートウェイのそれぞれにメッセージを送信することであって、該メッセージは、該複数のＰＤＮゲートウェイのうちの少なくとも１つが該少なくとも１つのアクティブベアラを削除することを要求する、ことと、
該ＵＥを切り離すことと
を含む、方法。
【請求項２】
前記メッセージは、
モビリティ管理エンティティと、
サービングゲートウェイと、
該モビリティ管理エンティティと該サービングゲートウェイとを含む構成要素と
のうちの１つによって送信される、請求項１に記載の方法。
【請求項３】
前記切り離しは、
前記ＵＥと、
モビリティ管理エンティティと、
サービングゲートウェイと、
該モビリティ管理エンティティと該サービングゲートウェイとを含む構成要素と、
家庭用加入者サーバと
のうちの１つによって開始される、請求項１〜２のいずれかに記載の方法。
【請求項４】
前記切り離しが前記ＵＥによって開始されるとき、該ＵＥは、該切り離しの要求を、
前記モビリティ管理エンティティと、
前記サービングゲートウェイと、
該モビリティ管理エンティティと該サービングゲートウェイとを含む前記構成要素と
のうちの１つに送信することによって、該切り離しを開始する、請求項１〜３のいずれかに記載の方法。
【請求項５】
前記切り離しが、前記モビリティ管理エンティティ、前記サービングゲートウェイ、および該モビリティ管理エンティティと該サービングゲートウェイとを含む前記構成要素のうちの１つによって開始されるとき、該モビリティ管理エンティティ、該サービングゲートウェイ、および該モビリティ管理エンティティと該サービングゲートウェイとを含む該構成要素のうちの１つは、
前記ＵＥに該切り離しの要求を送信することと、
該ＵＥとの通信が失われたと推定されるとき、該ＵＥに該切り離しを通知することなく、
該切り離しを暗示的に開始することと
のうちの１つによって、該切り離しを開始する、請求項１〜４のいずれかに記載の方法。
【請求項６】
前記切り離しが、前記家庭用加入者サーバによって開始されるとき、該家庭用加入者サーバは、前記モビリティ管理エンティティ、前記サービングゲートウェイ、および該モビリティ管理エンティティと該サービングゲートウェイとを含む前記構成要素のうちの１つに、前記ＵＥに関連するベアラおよびモビリティ管理コンテキストの削除を要求するメッセージを送信することによって、該切り離しを開始する、請求項１〜５のいずれかに記載の方法。
【請求項７】
前記モビリティ管理エンティティ、前記サービングゲートウェイ、および該モビリティ管理エンティティと該サービングゲートウェイとを含む前記構成要素のうちの１つは、該サービングゲートウェイに単一のベアラ削除要求を送信し、該サービングゲートウェイは、該単一のベアラ削除要求の受信に応答して、複数のＰＤＮゲートウェイのそれぞれにベアラ削除要求を送信する、請求項１〜６のいずれかに記載の方法。
【請求項８】
前記モビリティ管理エンティティ、前記サービングゲートウェイ、および該モビリティ管理エンティティと該サービングゲートウェイとを含む前記構成要素のうちの１つは、削除される各ベアラに対して、該サービングゲートウェイに別個のベアラ削除要求を送信し、該サービングゲートウェイは、各ベアラ削除要求の受信に応答して、適切なＰＤＮゲートウェイにベアラ削除要求を送信する、請求項１〜７のいずれかに記載の方法。
【請求項９】
前記ＰＤＮゲートウェイの全てが、所定の時間内に前記メッセージに応答しないときには、前記複数のＰＤＮゲートウェイからの前記ＵＥの切り離しを再開する、請求項１〜８のいずれかに記載の方法。
【請求項１０】
前記ＵＥを切り離すことは、前記ＰＤＮゲートウェイの全てが前記メッセージに応答するときのみに行われる、請求項１〜９のいずれかに記載の方法。
【請求項１１】
システムであって、
構成要素を備え、該構成要素は、ユーザ機器（ＵＥ）が少なくとも１つのアクティブベアラを有する複数のパケットデータネットワーク（ＰＤＮ）ゲートウェイのうちのそれぞれにメッセージを送信することによって、該複数のＰＤＮゲートウェイからの該ＵＥの切り離しを促進するように構成され、該メッセージは、該複数のＰＤＮゲートウェイのうちの少なくとも１つが該少なくとも１つのアクティブベアラを削除することを要求する、システム。
【請求項１２】
前記切り離しが前記ＵＥによって開始されるとき、該ＵＥは、該切り離しの要求を、
モビリティ管理エンティティと、
サービングゲートウェイと、
該モビリティ管理エンティティと該サービングゲートウェイとを含む構成要素と
のうちの１つに送信することによって、該切り離しを開始する、請求項１１に記載のシステム。
【請求項１３】
前記切り離しが、前記モビリティ管理エンティティ、前記サービングゲートウェイ、および該モビリティ管理エンティティと該サービングゲートウェイとを含む前記構成要素のうちの１つによって開始されるとき、該モビリティ管理エンティティ、該サービングゲートウェイ、および該モビリティ管理エンティティと該サービングゲートウェイとを含む該構成要素のうちの１つは、
前記ＵＥに該切り離しの要求を送信することと、
該ＵＥとの通信が失われたと推定されるときに、該ＵＥに該切り離しを通知することなく、該切り離しを暗示的に開始することと
のうちの１つによって、該切り離しを開始する、請求項１１または１２に記載のシステム。
【請求項１４】
前記切り離しが、前記家庭用加入者サーバによって開始されるとき、該家庭用加入者サーバは、モビリティ管理エンティティ、サービングゲートウェイ、および該モビリティ管理エンティティと該サービングゲートウェイとを含む構成要素のうちの１つに、前記ＵＥに関連するベアラおよびモビリティ管理コンテキストの削除を要求するメッセージを送信することによって、該切り離しを開始する、請求項１１から請求項１３のうちのいずれかに記載のシステム。
【請求項１５】
前記構成要素は、前記ＰＤＮゲートウェイの全てが前記メッセージに応答するまで、前記ＵＥの前記切り離しにおいてさらなる動作を取らない、請求項１１から請求項１４のうちのいずれかに記載のシステム。
【請求項１６】
タイマをさらに備え、該タイマは、前記メッセージのうちの最後のメッセージが前記ＰＤＮゲートウェイに送信されてから経過した時間を測定するように構成され、該ＰＤＮゲートウェイの全てが、該メッセージのうちの最後のメッセージが該ＰＤＮゲートウェイに送信された後の所定の期間内に該メッセージに応答しないとき、該複数のＰＤＮゲートウェイからの前記ＵＥの前記切り離しの別の試行を促進するようにさらに構成されている、請求項１１から請求項１５のうちのいずれかに記載のシステム。
【請求項１７】
前記構成要素は、前記サービングゲートウェイに単一のベアラ削除要求を送信するように構成され、該サービングゲートウェイは、該単一のベアラ削除要求の受信に応答して、複数のＰＤＮゲートウェイのそれぞれにベアラ削除要求を送信するように構成されている、請求項１１から請求項１６のうちのいずれかに記載のシステム。
【請求項１８】
前記構成要素は、削除される各ベアラに対して、前記サービングゲートウェイに別個のベアラ削除要求を送信するように構成され、該サービングゲートウェイは、各ベアラ削除要求の受信に応答して、適切なＰＤＮゲートウェイにベアラ削除要求を送信するように構成されている、請求項１１から請求項１７のうちのいずれかに記載のシステム。
【請求項１９】
前記構成要素は、
モビリティ管理エンティティと、
サービングゲートウェイと、
該モビリティ管理エンティティと該サービングゲートウェイとを含む構成要素と
のうちの１つである、請求項１１から請求項１８のうちのいずれかに記載のシステム。
【手続補正２】
【補正対象書類名】明細書
【補正対象項目名】０００７
【補正方法】変更
【補正の内容】
【０００７】
最初に、本開示の１つ以上の実施形態の例証的実装を以下で提供するが、開示されたシステムおよび／または方法は、現在既知であるか、または既存であるかにかかわらず、任意の数の技法を使用して実装され得ることを理解されたい。本開示は、本明細書で例証および説明される例示的設計および実装を含む、以下で例証される例証的実装、図面、および技法に決して限定されるべきではないが、均等物の全範囲とともに、添付の特許請求の範囲内で修正され得る。
例えば、本発明は以下の項目を提供する。
（項目１）
複数のパケットデータネットワーク（ＰＤＮ）ゲートウェイからユーザ機器（ＵＥ）を切り離す方法であって、
該ＵＥが少なくとも１つのアクティブベアラを有する、該複数のＰＤＮゲートウェイのそれぞれにメッセージを送信することであって、該メッセージは、該複数のＰＤＮゲートウェイのうちの少なくとも１つが該少なくとも１つのアクティブベアラを削除することを要求する、ことと、
該ＵＥを切り離す際に、さらなるステップを取ることと
を含む、方法。
（項目２）
上記メッセージは、
モビリティ管理エンティティと、
サービングゲートウェイと、
該モビリティ管理エンティティと該サービングゲートウェイとを含む構成要素と
のうちの１つによって送信される、項目１に記載の方法。
（項目３）
上記切り離しは、
上記ＵＥと、
モビリティ管理エンティティと、
サービングゲートウェイと、
該モビリティ管理エンティティと該サービングゲートウェイとを含む構成要素と、
家庭用加入者サーバと
のうちの１つによって開始される、項目１〜２のいずれかに記載の方法。
（項目４）
上記切り離しが上記ＵＥによって開始されるとき、該ＵＥは、該切り離しの要求を、
上記モビリティ管理エンティティと、
上記サービングゲートウェイと、
該モビリティ管理エンティティと該サービングゲートウェイとを含む上記構成要素と
のうちの１つに送信することによって、該切り離しを開始する、項目１〜３のいずれかに記載の方法。
（項目５）
上記切り離しが、上記モビリティ管理エンティティ、上記サービングゲートウェイ、および該モビリティ管理エンティティと該サービングゲートウェイとを含む上記構成要素のうちの１つによって開始されるとき、該モビリティ管理エンティティ、該サービングゲートウェイ、および該モビリティ管理エンティティと該サービングゲートウェイとを含む該構成要素のうちの１つは、
上記ＵＥに該切り離しの要求を送信することと、
該ＵＥとの通信が失われたと推定されるとき、該ＵＥに該切り離しを通知することなく、
該切り離しを暗示的に開始することと
のうちの１つによって、該切り離しを開始する、項目１〜４のいずれかに記載の方法。
（項目６）
上記切り離しが、上記家庭用加入者サーバによって開始されるとき、該家庭用加入者サーバは、上記モビリティ管理エンティティ、上記サービングゲートウェイ、および該モビリティ管理エンティティと該サービングゲートウェイとを含む上記構成要素のうちの１つに、上記ＵＥに関連するベアラおよびモビリティ管理コンテキストの削除を要求するメッセージを送信することによって、該切り離しを開始する、項目１〜５のいずれかに記載の方法。
（項目７）
上記モビリティ管理エンティティ、上記サービングゲートウェイ、および該モビリティ管理エンティティと該サービングゲートウェイとを含む上記構成要素のうちの１つは、該サービングゲートウェイに単一のベアラ削除要求を送信し、該サービングゲートウェイは、該単一のベアラ削除要求の受信に応答して、複数のＰＤＮゲートウェイのそれぞれにベアラ削除要求を送信する、項目１〜６のいずれかに記載の方法。
（項目８）
上記モビリティ管理エンティティ、上記サービングゲートウェイ、および該モビリティ管理エンティティと該サービングゲートウェイとを含む上記構成要素のうちの１つは、削除される各ベアラに対して、該サービングゲートウェイに別個のベアラ削除要求を送信し、該サービングゲートウェイは、各ベアラ削除要求の受信に応答して、適切なＰＤＮゲートウェイにベアラ削除要求を送信する、項目１〜７のいずれかに記載の方法。
（項目９）
上記ＰＤＮゲートウェイの全てが、所定の時間内に上記メッセージに応答しないときには、上記複数のＰＤＮゲートウェイからの上記ＵＥの切り離しを再開する、項目１〜８のいずれかに記載の方法。
（項目１０）
上記ＵＥを切り離す際に、さらなるステップを取ることは、上記ＰＤＮゲートウェイの全てが上記メッセージに応答するときのみを含む、項目１〜９のいずれかに記載の方法。
（項目１１）
システムであって、
構成要素を備え、該構成要素は、ユーザ機器（ＵＥ）が少なくとも１つのアクティブベアラを有する複数のパケットデータネットワーク（ＰＤＮ）ゲートウェイのうちのそれぞれにメッセージを送信することによって、該複数のＰＤＮゲートウェイからの該ＵＥの切り離しを促進するように構成され、該メッセージは、該複数のＰＤＮゲートウェイのうちの少なくとも１つが該少なくとも１つのアクティブベアラを削除することを要求する、システム。
（項目１２）
上記切り離しが上記ＵＥによって開始されるとき、該ＵＥは、該切り離しの要求を、
モビリティ管理エンティティと、
サービングゲートウェイと、
該モビリティ管理エンティティと該サービングゲートウェイとを含む構成要素と
のうちの１つに送信することによって、該切り離しを開始する、項目１１に記載のシステム。
（項目１３）
上記切り離しが、上記モビリティ管理エンティティ、上記サービングゲートウェイ、および該モビリティ管理エンティティと該サービングゲートウェイとを含む上記構成要素のうちの１つによって開始されるとき、該モビリティ管理エンティティ、該サービングゲートウェイ、および該モビリティ管理エンティティと該サービングゲートウェイとを含む該構成要素のうちの１つは、
上記ＵＥに該切り離しの要求を送信することと、
該ＵＥとの通信が失われたと推定されるときに、該ＵＥに該切り離しを通知することなく、該切り離しを暗示的に開始することと
のうちの１つによって、該切り離しを開始する、項目１１または１２に記載のシステム。
（項目１４）
上記切り離しが、上記家庭用加入者サーバによって開始されるとき、該家庭用加入者サーバは、モビリティ管理エンティティ、サービングゲートウェイ、および該モビリティ管理エンティティと該サービングゲートウェイとを含む構成要素のうちの１つに、上記ＵＥに関連するベアラおよびモビリティ管理コンテキストの削除を要求するメッセージを送信することによって、該切り離しを開始する、項目１１から項目１３のうちのいずれかに記載のシステム。
（項目１５）
上記構成要素は、上記ＰＤＮゲートウェイの全てが上記メッセージに応答するまで、上記ＵＥの上記切り離しにおいてさらなる動作を取らない、項目１１から項目１４のうちのいずれかに記載のシステム。
（項目１６）
タイマをさらに備え、該タイマは、上記メッセージのうちの最後のメッセージが上記ＰＤＮゲートウェイに送信されてから経過した時間を測定するように構成され、該ＰＤＮゲートウェイの全てが、該メッセージのうちの最後のメッセージが該ＰＤＮゲートウェイに送信された後の所定の期間内に該メッセージに応答しないとき、該複数のＰＤＮゲートウェイからの上記ＵＥの上記切り離しの別の試行を促進するようにさらに構成されている、項目１１から項目１５のうちのいずれかに記載のシステム。
（項目１７）
上記構成要素は、上記サービングゲートウェイに単一のベアラ削除要求を送信するように構成され、該サービングゲートウェイは、該単一のベアラ削除要求の受信に応答して、複数のＰＤＮゲートウェイのそれぞれにベアラ削除要求を送信するように構成されている、項目１１から項目１６のうちのいずれかに記載のシステム。
（項目１８）
上記構成要素は、削除される各ベアラに対して、上記サービングゲートウェイに別個のベアラ削除要求を送信するように構成され、該サービングゲートウェイは、各ベアラ削除要求の受信に応答して、適切なＰＤＮゲートウェイにベアラ削除要求を送信するように構成されている、項目１１から項目１７のうちのいずれかに記載のシステム。
（項目１９）
上記構成要素は、
モビリティ管理エンティティと、
サービングゲートウェイと、
該モビリティ管理エンティティと該サービングゲートウェイとを含む構成要素と
のうちの１つである、項目１１から項目１８のうちのいずれかに記載のシステム。
【国際調査報告】
2011523797.tif 000011
2011523797.tif 000012
2011523797.tif 000013